(57)【要約】【課題】  本発明は配管パッキン交換用治具に関し、配管路のパッキンを交換する作業の労力の軽減を図ることを目的とする。【解決手段】  ヒンジで結合されて回動自在である第１及び第２の半体３１、３２と、第１及び第２の半体から延在して形成してある第１及び第２のパッキン支持部３３，３４とを有する。第１及び第２の半体が管の胴を囲んで取り付けられる。第１及び第２のパッキン支持部はフランジを越えて延在して直径方向上対向する。第１及び第２のパッキン支持部に、新たに設置されるパッキン１３Ａが支持される。パッキンは二つの管のフランジの間に挟まれるまで支持され続ける。パッキン交換後に、配管パッキン交換用治具は管より取り外される。【選択図】  図４
2005180632.tif 000002
【特許請求の範囲】
【請求項１】
胴の端にフランジを有する二つの管が対向するフランジの間にパッキンを挟んで接続してある配管路のパッキン交換の際に使用される配管パッキン交換用治具であって、
ヒンジで結合されて回動自在であり、上記管の胴を囲んで該胴に取り外し可能な状態で取り付けられる第１及び第２の半体と、
該第１及び第２の半体から延在して形成してあり、該第１及び第２の半体が上記胴に取り付けられた状態で、該管のフランジを越えて延在して新たに設置されるパッキンを支持する第１、第２のパッキン支持部と、
を有する構成としたことを特徴とする配管パッキン交換用治具。
【請求項２】
請求項１に記載の配管パッキン交換用治具において、
第１、第２のパッキン支持部は、円弧状の板部であり、配管パッキン交換用治具が管に取り付けられた状態で直径方向上対向することを特徴とする配管パッキン交換用治具。
【請求項３】
請求項１又は請求項２に記載の配管パッキン交換用治具を配管路の管に取り付け、
新たに設置されるパッキンを上記第１、第２のパッキン支持部に支持させ、
該第１、第２のパッキン支持部に支持された状態の新たに設置されるパッキンを二つの管の対向するフランジの間に挟むようにしたことを特徴とする配管パッキン交換方法。
【発明の詳細な説明】
【技術分野】
【０００１】
本発明は管同士の接続部分に設置するパッキンの交換用冶具に関する。
【背景技術】
【０００２】
例えば、工場内では給水、廃水あるいは原料の供給路として複数の管が接続されて大規模な配管路群が形成されている。管同士の接続部には、液漏れの防止及び流路の密閉による雑菌やゴミ等の混入を防止するために、パッキンが設置してある。配管路群については、パッキンを定期的に新しいものと交換する保守作業が必要となる。
【０００３】
この保守作業は、管を接続している配管接続具を取り外し、チェーンブロックを使用しチェーンを引き寄せて管を互いに離す方向に引っ張って管同士を離し、管のフランジの間に隙間を開け、古いパッキンを取り外し、新しいパッキンを一方の管のフランジの面に当てて支持し、この状態で、チェーンブロックのチェーンを弛めて、一対の管のフランジの間を狭めて、新しいパッキンを一対の管のフランジの間に挟んで、最後に、配管接続具を取り付けて完了する。
【発明の開示】
【発明が解決しようとする課題】
【０００４】
従来は、新しいパッキンが一対の管のフランジの間に挟まれるまでは、作業者が手でもって新しいパッキンをずれないように支持していた。このため、保守作業には、チェーンブロックを操作する人と、新しいパッキンを支持する人とが必要になって、人手がかかっていた。
【０００５】
また、配管路群は通常複数の配管路が隣り合って並んでいる構成であることから、上記の保守作業は、保守に要する時間の短縮のために、複数の配管路について一括して同時に行っている。この場合には、各配管路毎に或いは二本の配管路毎に別の作業者が配置されて新しいパッキンを手で支持する必要があり、複数人の作業者が必要となっていた。
【０００６】
また、新しいパッキンについては、作業者が手で支持しているため、誤って、パッキンを落としたりして、保守作業が円滑に行われなくなったり、また、作業者が手の指を管のフランジの間に挟んで怪我をする危険もあった。
【０００７】
そこで、本発明は、上記課題を解決した配管パッキン交換用治具を提供することを目的とする。
【課題を解決するための手段】
【０００８】
そこで、上記課題を解決するため、本発明は、胴の端にフランジを有する二つの管が対向するフランジの間にパッキンを挟んで接続してある配管路のパッキン交換の際に使用される配管パッキン交換用治具であって、
ヒンジで結合されて回動自在であり、上記管の胴を囲んで該胴に取り外し可能な状態で取り付けられる第１及び第２の半体と、
該第１及び第２の半体から延在して形成してあり、該第１及び第２の半体が上記胴に取り付けられた状態で、該管のフランジを越えて延在して新たに設置されるパッキンを支持する第１、第２のパッキン支持部と、
を有する構成としたことを特徴とすることにある。
【発明の効果】
【０００９】
本発明によれば、新たに設置されるパッキンをパッキン支持部に支持させ、このパッキン支持部に支持された状態の新たに設置されるパッキンをフランジの間に挟むようにすることが可能となって、新たに設置されるパッキンを作業者が手で支持する手間が不要となる。よって、複数の配管路について一括して同時にパッキンを交換する保守作業を従来よりも少ない人数、例えば一人の作業者で行うことが可能となる。更には、新たに設置されるパッキンの支持が安定となって、パッキンを交換する保守作業を円滑に行うことが可能となる。よって、パッキンを交換する保守作業の労力と時間の節約を図ることが可能となる。
【発明を実施するための最良の形態】
【００１０】
次に本発明の実施の形態について説明する。
【００１１】
先ず、説明の便宜上、パッキンを交換する保守作業の対象となる配管路群について説明する。図１は保守作業の対象となる配管路群を示す。複数の配管路１，２，３が並んで配置してあり、各配管路１，２，３には、電磁弁装置４が設けてある。配管路１は、図２及び図６（Ａ）に示すように、第１の管１１と第２の管１２とが、フランジ１１ｂ，１２ｂの間にパッキン１３を挟んで、配管接続具２０によって接続されている。図３に示すように、第１、第２の管１１、１２は、胴１１ａ，１２ａの端にフランジ１１ｂ，１２ｂを有する構成である。
【００１２】
配管接続具２０は、図３に示すように、第１の半体２１と、第２の半体２２とがヒンジ部材２３を介して結合してあり、開閉自在であり、第１の半体２１の先端に、ノブ付きナット２５が螺合してあるボルト２４の端が連結してある構成である。第１及び第２の半体２１、２２の内周側は、パッキン１３を挟んでいるフランジ１１ａ，１２ａを囲む形状であり、テーパ状となっている。
【００１３】
第１の半体２１と第２の半体２２とをフランジ１１ａ，１２ａを囲むように閉じ、ボルト２４を第２の半体２２の先端のフォーク部２２ａに嵌合させ、ノブ付きナット２５を締めることによって、フランジ１１ａ，１２ａがパッキン１３を挟む方向の力を作用されつつ固定されて、第１の管１１と第２の管１２とが接続されている。
【００１４】
図４は本発明の実施例１になる配管パッキン交換用治具３０を示す。配管パッキン交換用治具３０は、第１の半体３１と、第２の半体３２と、第１のパッキン支持部３３と、第２のパッキン支持部３４とを有する。第１の半体３１と第２の半体３２とが取付け部を構成する。第１の半体３１及び第２の半体３２は共に略半円形であり、その半径Ｒ１は、第１の管１１の胴１１ａの半径Ｒ１１に対応する寸法である。第１、第２のパッキン支持部３３，３４は、夫々第１、第２の半体３１、３２から張り出している。第１、第２のパッキン支持部３３，３４は、円弧状の板であり、その半径Ｒ２は、フランジ１１ｂの半径Ｒ１２に対応する寸法である。
【００１５】
第１の半体３１及び第２の半体３２は、ヒンジ部材３５を介して結合してあり、開閉自在である。第１の半体３１の先端に、ノブ付きナット３７が螺合してあるボルト３６の端が回動可能に連結してある。第２の半体３２の先端にフォーク部３２ａを有する。第１、第２の半体３１、３２を閉じた状態とし、ボルト３６をフォーク部３２ａに嵌合させ、ノブ付きナット３７を締めることによって、第１、第２の半体３１、３２の先端同士が結合される。よって、配管パッキン交換用治具３０は、第１の半体３１と第２の半体３２とノブ付きナット３７とによって、第１の管１１の胴１１ａに取り外し可能な状態で取り付けられる構造である。第１、第２のパッキン支持部３３，３４は、図５（Ａ）に示すように、配管パッキン交換用治具３０が第１の管１１の胴１１ａのうちフランジ１１ｂの直ぐ裏側の位置に取り付けられた状態で、フランジ１１ａを越えて、第２の管１２の方向に延在して、配管の軸線の方向から見て直径方向上対向して、夫々開き角度α（約９０度）の間を占め、更には、先端が拡がる方向に僅かのテーパを有しており、新たに設置されるパッキン１３Ａを支持可能である構成である。
【００１６】
配管パッキン交換用治具３０は、第１の半体３１を第１の管１１の胴１１ａの下側部分に当接させ、第２の半体３２を閉じるように回動させて第１の管１１の胴１１ａの上側部分を覆うようにし、第１及び第２の半体３１、３２によって胴１１ａを囲むようにし、ボルト２４を第２の半体２２の先端のフォーク部２２ａに嵌合させ、ノブ付きナット２５を締めることによって、図５（Ａ）に示すように、第１及び第２の半体３１、３２が胴１１ａを挟んで、胴１１ａのうちフランジ１１ｂの直ぐ裏側の部分に取り付けられる。第１、第２のパッキン支持部３３，３４は、フランジ１１ｂを越えて、第２の管１２の方向に突き出している。環状の新しいパッキン１３Ａは、図５（Ｂ）に示すように、作業者が第１、第２のパッキン支持部３３，３４の間に嵌合することによって、下側の部分を第１のパッキン支持部３３に支えられ、上側の部分を第２のパッキン支持部３４によって転がり出さないように支えられて、第１の管１１に対して略同心状とされて位置決めされて、フランジ１１ｂに対向して支持される。
【００１７】
なお、パッキンのフランジに対する位置決めのために、パッキン１３（１３Ａ）は、両面にリング状の突起部１３ａ，１３ｂ（１３Ａａ，１３Ａｂ）が形成してあり、フランジ１１ｂ、１２ｂは、リング状の溝１１ｃ、１２ｃを有する。
【００１８】
次に、図１中奥方向に並んでいる配管路１，２，３について一括して同時にパッキンを交換する保守作業を説明する。この中で、配管パッキン交換用治具３０の使用の仕方を説明する。図６（Ａ）乃至（Ｃ）、図７（Ａ）乃至（Ｃ）、図８（Ａ）、（Ｂ）は、配管路１，２，３のうち配管路１についての状態を示す。他の配管路２，３についても状態は配管路１と同じである。
【００１９】
図６（Ａ）は、第１の管１１と第２の管１２とが、フランジ１１ｂ，１２ｂの間にパッキン１３を挟んで、配管接続具２０によって接続されている状態である。
【００２０】
パッキン１３を交換するには、作業者は、先ず、配管路群にチェーンブロック（図示せず）をセットすると共に図６（Ｂ）に示すように配管路１，２，３の配管接続具２０を取り外し、チェーンブロックを操作しチェーンを引き寄せて、第１の管１１をＸ２方向に、第２の管１２をＸ１方向に引っ張って、図６（Ｃ）に示すように，フランジ１１ｂ、１２ｂの間に、無理やりに数ｃｍの隙間４０をあける。
【００２１】
この状態で、作業者は、配管路１，２，３について、古くなったパッキン１３を取り外し、図７（Ａ）に示すように、配管路１，２，３について、配管パッキン交換用治具３０を第１の管１１の胴１１ａであってフランジ１１ａの直ぐ裏側の場所に取り付ける。
【００２２】
次いで、作業者は、配管路１，２，３について、新たに設置される新しいパッキン１３Ａを配管パッキン交換用治具３０に嵌合させる。これにより、配管路１，２，３について、図７（Ｂ）に示すように、新しいパッキン１３Ａが第１、第２のパッキン支持部３３，３４によってフランジ１１ｂに対向した状態に支持された状態となる。新しいパッキン１３Ａを手で持って支持しておく必要はない。なお、パッキン１３Ａは第１、第２の管１１、１２のフランジ１１ｂ、１２ｂの間に挟まれるまで支持され続ける。
【００２３】
次いで、作業者は、チェーンブロックを操作して、チェーンを弛める。配管路１，２，３について同時に、第１の管１１と第２の管１２とが接近し、フランジ１１ｂとフランジ１２ｂとの間の隙間が狭まり、図７（Ｃ）に示すように、フランジ１２ｂが第１、第２のパッキン支持部３３，３４の間に進入し、新しいパッキン１３Ａが、そのリング状の突起部１３Ａａ，１３Ａｂがフランジ１１ｂ、１２ｂのリング状の溝１１ｃ、１２ｃに嵌合して位置決めされて、フランジ１１ｂとフランジ１２ｂとの間に挟まれた状態となる。
【００２４】
次いで、作業者は、ノブ付きナット２５を緩めボルト３６をフォーク部３２ａから外して第１、第２の半体３１、３２を自由にして、図８（Ａ）に示すように、配管パッキン交換用治具３０を取り外す。
【００２５】
最後に、作業者は、図８（Ｂ）に示すように、配管接続具２０を取り付ける。
【００２６】
よって、三つの配管路１，２，３に対して同時に行うパッキン交換作業を一人の作業者で手際よく行うことが出来る。
【００２７】
なお、第１、第２のパッキン支持部３３，３４は配管の軸線の方向から見て直径方向上対向して夫々開き角度α（約９０度）の間を占めているため、配管パッキン交換用治具３０の取り付けるときの向きはパッキン支持部３３がおおよそ下側に位置している向きであればよく、取り付けの向きを気にする必要はなく、作業はしやすい。
【図面の簡単な説明】
【００２８】
【図１】パッキンを交換する保守作業の対象となる配管路群を示す図である。
【図２】図１中、配管接続具が管同士を接続している状態を拡大して示す図である。
【図３】開いている状態の配管接続具を示す図である。
【図４】本発明の実施例の配管パッキン交換用治具を示す図である。
【図５】（Ａ）は図４の配管パッキン交換用治具が管に取り付けられている状態を示す図であり、（Ｂ）は新たに設置される新しいパッキンが支持された状態を示す図である。
【図６】パッキンを交換する保守作業を示す図である。
【図７】図６（Ｃ）に続く保守作業を示す図である。
【図８】図７（Ｃ）に続く保守作業を示す図である。
【符号の説明】
【００２９】
１，２，３  配管路
１１  第１の管
１２  第２の管
１１ａ，１２ａ  フランジ
１３，１３Ａ  パッキン
１３Ａａ，１３Ａｂ  リング状の突起部
２０  配管接続具
３０  配管パッキン交換用治具
３１  第１の半体
３２  第２の半体
３２ａ  フォーク部
３３  第１のパッキン支持部
３４  第２のパッキン支持部
３５  ヒンジ部材
３６  ボルト
３７  ノブ付きナット
【図１】
2005180632.tif 000003
【図２】
2005180632.tif 000004
【図３】
2005180632.tif 000005
【図４】
2005180632.tif 000006
【図５】
2005180632.tif 000007
【図６】
2005180632.tif 000008
【図７】
2005180632.tif 000009
【図８】
2005180632.tif 000010